(57)【要約】【課題】乾燥運転時には効率的に洗濯物を乾燥でき、簡単な構成で乾燥運転と室内暖房とに切替可能である。【解決手段】ケーシング(１)の上部開口に取り付けられて洗濯物投入口(３a)を有する上面板(３)と、洗濯物投入口(３a)を開閉する上蓋(５)と、ケーシング１内に設置された洗濯槽(６)と、洗濯槽(６)内の空気を加熱乾燥して吹き出す乾燥ユニット(１６)とを備え、上蓋(５)内には、上蓋(５)の裏面に吹出口(５b)を有する空気通路(５a)を設け、乾燥ユニット(１６)で加熱乾燥された空気を、上蓋(５)内の空気通路(５a)を介して吹出口(５b)から吹き出す。こうして、乾燥運転時には、閉じた上蓋(５)の吹出口(５b)から加熱空気を下方に吹き出して、効率的に洗濯物を乾燥する。また、室内暖房時には、開いた上蓋(５)の吹出口(５b)から加熱空気を前方に向かって室内に吹き出し、簡単な構成で上記乾燥運転と上記室内暖房とに切り替えることを可能にする。【選択図】図１
2014083389.tif 000002
【特許請求の範囲】
【請求項１】
上部に開口を有するケーシングと、
上記ケーシングにおける上記開口に取り付けられると共に、洗濯物投入口を有する上面板と、
上記上面板に回動可能に支持されると共に、上記洗濯物投入口を開閉する上蓋と、
上記ケーシング内に設置されると共に、上部に洗濯物が投入される開口を有する洗濯槽と、
上記上面板内に設けられて、上記洗濯槽内の空気を取り込んで加熱乾燥した後に吹き出す乾燥ユニットと
を備え、
上記上蓋内には、上記上面板による支持箇所に空気取入れ口を有すると共に、上記上蓋の裏面に吹出口を有する空気通路が設けられており、
上記乾燥ユニットで加熱乾燥された空気は、上記上蓋内の上記空気通路を介して、上記空気通路の吹出口から吹き出されるようになっている
ことを特徴とする縦型洗濯乾燥機。
【請求項２】
請求項１に記載の縦型洗濯乾燥機において、
上記乾燥ユニットには、イオン発生部が含まれている
ことを特徴とする縦型洗濯乾燥機。
【請求項３】
請求項１あるいは請求項２に記載の縦型洗濯乾燥機において、
上記上蓋における上記空気通路の空気取入れ口と上記乾燥ユニットとは、可撓性を有する連通部材で連通されている
ことを特徴とする縦型洗濯乾燥機。
【請求項４】
請求項１から請求項３までの何れか一つに記載の縦型洗濯乾燥機において、
上記上蓋の上記空気通路内における上記吹出口の下流側に、上記空気通路内における空気流の向きを上記吹出口側に偏向するための偏向板が設置されている
ことを特徴とする縦型洗濯乾燥機。
【請求項５】
請求項４に記載の縦型洗濯乾燥機において、
上記偏向板は、上記上蓋の上記吹出口から吹き出される空気の方向が、上記上蓋が上記洗濯物投入口を閉鎖している場合には略垂直方向になり、上記上蓋が上記洗濯物投入口を開放している場合には略水平方向になるように、設置されている
ことを特徴とする縦型洗濯乾燥機。
【発明の詳細な説明】
【技術分野】
【０００１】
この発明は、槽内の洗濯物を乾燥させる乾燥機能付の縦型洗濯乾燥機に関する。
【背景技術】
【０００２】
槽内の洗濯物を乾燥させる乾燥運転時に使用されるヒータを用いて、加熱した空気を室内に送風して暖房を行う洗濯乾燥機がある。このような暖房機能を備えた洗濯乾燥機として特開２００９‐２２５７０号公報(特許文献１)に開示された洗濯乾燥機がある。
【０００３】
上記従来の洗濯乾燥機では、乾燥運転時に、循環ファンの回転によって、水槽内の空気が水槽,温風出口,循環通路,熱交換ダクト,給気ダクトおよび温風入口を循環し、生成された温風が上記水槽内に供給される。これに対し、室内暖房時には、ダンパ装置が切り替えられて、通風路が上記循環通路に連通される一方、上記温風出口と上記循環通路との間が遮断される。そして、上記通風路に設けられた送風ファンの回転によって、本体内の空気が上記循環通路に導入され、ヒータによって温風化されて、上記通風路から外部(室内)に吹き出されるようになっている。
【０００４】
しかしながら、上記従来の洗濯乾燥機においては以下のような問題がある。すなわち、乾燥運転時には、生成された温風が、上記水槽の側面に設けられた上記温風入口から上記水槽内に供給され、さらにドラムの側面に設けられた温風導入孔から上記ドラム内に供給される。したがって、ドラムの上部から温風を下方に向かって吹き出すことができず、効率的に洗濯物を乾燥できないという問題がある。
【０００５】
さらに、室内暖房用の温風経路である上記通風路を、乾燥運転用の温風経路である上記循環通路から分岐して設けている。したがって、温風経路が複雑になると共に、乾燥運転と室内暖房との切替時に、上記ダンパ装置を切り替えると共に上記循環ファンを停止させる必要があり、乾燥運転と室内暖房との切替操作が面倒であるという問題がある。
【先行技術文献】
【特許文献】
【０００６】
【特許文献１】特開２００９‐２２５７０号公報
【発明の概要】
【発明が解決しようとする課題】
【０００７】
そこで、この発明の課題は、乾燥運転時には効率的に洗濯物を乾燥でき、且つ簡単な構造で乾燥運転と室内暖房とを切替可能な縦型洗濯乾燥機を提供することにある。
【課題を解決するための手段】
【０００８】
上記課題を解決するため、この発明の縦型洗濯乾燥機は、
上部に開口を有するケーシングと、
上記ケーシングにおける上記開口に取り付けられると共に、洗濯物投入口を有する上面板と、
上記上面板に回動可能に支持されると共に、上記洗濯物投入口を開閉する上蓋と、
上記ケーシング内に設置されると共に、上部に洗濯物が投入される開口を有する洗濯槽と、
上記上面板内に設けられて、上記洗濯槽内の空気を取り込んで加熱乾燥した後に吹き出す乾燥ユニットと
を備え、
上記上蓋内には、上記上面板による支持箇所に空気取入れ口を有すると共に、上記上蓋の裏面に吹出口を有する空気通路が設けられており、
上記乾燥ユニットで加熱乾燥された空気は、上記上蓋内の上記空気通路を介して、上記空気通路の吹出口から吹き出されるようになっている
ことを特徴としている。
【発明の効果】
【０００９】
以上より明らかなように、この発明の縦型洗濯乾燥機は、上面板の洗濯物投入口を開閉する上蓋の裏面に吹出口を有する空気通路を設け、上記上面板内に設けられた乾燥ユニットからの加熱乾燥された空気を上記空気通路を介して上記吹出口から吹き出すので、乾燥運転時には、上記上蓋で上記洗濯物投入口を閉鎖することによって、閉じた上記上蓋の上記吹出口から、換言すれば洗濯槽の上部から加熱空気を下方に向かって吹き出すことができ、効率的に洗濯物を乾燥することができる。
【００１０】
さらに、室内暖房時には、上記上蓋で上記洗濯物投入口を開放することによって、開いた上記上蓋の上記吹出口から加熱空気を前方に向かって室内に吹き出すことができる。したがって、簡単な構造で上記乾燥運転と上記室内暖房とを切り替えることが可能になる。
【図面の簡単な説明】
【００１１】
【図１】この発明の縦型洗濯乾燥機における縦断面図である。
【図２】上蓋を開いた状態の縦型洗濯乾燥機を前側から見た図である。
【図３】上蓋を開放した状態を示す拡大断面図である。
【発明を実施するための形態】
【００１２】
以下、この発明を図示の実施の形態により詳細に説明する。図１は、本実施の形態の縦型洗濯乾燥機における縦断面図である。
【００１３】
図１に示すように、上記縦型洗濯乾燥機は、金属または合成樹脂製の本体ケーシング１を備えている。本体ケーシング１は概略直方体形状に成形され、その上部および底部は開口している。そして、本体ケーシング１の上部開口には、操作パネル２等が設けられた合成樹脂製の上面板３が取り付けられている。また、本体ケーシング１の底部開口には、合成樹脂製のベース４が取り付けられている。
【００１４】
上記上面板３には、洗濯機内に洗濯物を投入するための洗濯物投入口３aが設けられている。洗濯物投入口３aは、洗濯機の後側で上面板３に回動可能に支持された上蓋５を上下に回動させることによって開閉される。
【００１５】
上記本体ケーシング１内には、洗濯槽６と、その洗濯槽６を収納する水槽７とを収容している。水槽７には、洗剤を溶かした水またはすすぎ用の水が溜められる。また、洗濯槽６には、洗濯物が投入される。尚、洗濯槽６の周囲には、水槽７内の水が流入排出するための多数の孔が形成されている。水槽７および洗濯槽６は、上側が開口した有底筒状のカップの形状を有しており、各々の中心軸を垂直にして、水槽７を外側とする一方、洗濯槽６を内側として、同軸に設置されている。
【００１６】
上記洗濯槽６の上部開口部の縁には、洗濯物を脱水するために高速回転させた場合に振動を抑制する働きをする環状のバランサ８が装着されている。また、洗濯槽６内の底面には、撹拌翼９が回転可能に設置されている。
【００１７】
また、上記本体ケーシング１内の水槽７の下側には、撹拌翼９を回転するモータ１１とクラッチ・ブレーキ機構１２とを有する駆動ユニット１０を取り付けている。
【００１８】
また、上記縦型洗濯乾燥機は、本体ケーシング１の上側であって且つ後面側に位置する上面板３内に、循環気流生成部１３とイオン発生部１４と加熱部１５とを含む乾燥ユニット１６を備えている。循環気流生成部１３は、内蔵する循環ファン１３bの回転によって空気取入口１３aから洗濯槽６内の湿った空気を取り込んで循環気流を生成する。また、イオン発生部１４は、プラスイオンおよびマイナスイオンを発生させて循環気流生成部１３からの循環気流に供給する。また、加熱部１５は、内蔵するシーズヒータ等のヒータ１５aによって循環気流を加熱して乾燥させ、蛇腹１７等の可撓性を有する連通部材を介して上蓋５後部の空気取入れ口から上蓋５内に供給する。
【００１９】
本実施の形態においては、上記上蓋５の内部には空気通路５aが設けられており、後部の上記空気取入れ口から上蓋５内に供給された乾燥空気が空気通路５a内を前方に向かって流れるようになっている。そして、上蓋５における前後方向中間部の裏面には、空気通路５a内を前方に向かって流れて来た乾燥空気を洗濯槽６内に向かって吹き出すための吹出口５bを設けている。さらに、空気通路５aの先端部である吹出口５bの直前(すなわち、下流側)には、乾燥空気流の向きを吹出口５b側に偏向するための偏向板１８を設置している。尚、５cは、上蓋５を開閉する際に手の指が掛けられる把手である。
【００２０】
図２は、上記上蓋５を開いた状態の縦型洗濯乾燥機を前側から見た図である。上蓋５に形成される空気通路５aおよび上蓋５の裏面に設けられた吹出口５bの形状に付いては、特に限定するものではない。本実施の形態においては、図２に示すように、吹出口５bは、縦型洗濯乾燥機を前側から見た状態で左右に長い直線状に形成している。また、空気通路５aは、吹出口５bの左右の幅に応じた幅を有する矩形に形成している。尚、空気通路５aの面積をあまり広く設定すると、蛇腹１７を介して空気通路５a内に供給された乾燥空気が空気通路５a内で拡散されて、流速が低下してしまう。その場合には、洗濯槽６内に対して底部まで十分に乾燥空気が行き渡らなくなるので好ましくない。
【００２１】
上記構成を有する縦型洗濯乾燥機において、洗濯運転終了後における乾燥運転時には、上記加熱部１５のヒータ１５aをオンすると共に、イオン発生部１４を駆動する。そうした後に、循環気流生成部１３の循環ファン１３bを回転駆動する。そうすると、縦型洗濯乾燥機内に、洗濯槽６,循環気流生成部１３,イオン発生部１４,加熱部１５,上蓋５の空気通路５aおよび洗濯槽６を、この順序で循環する空気の循環流が発生する。そして、その空気の循環流に対して、イオン発生部１４によってプラスイオンおよびマイナスイオンが供給され、加熱部１５によって加熱・乾燥が行われる。
【００２２】
こうして生成されたイオンを含む乾燥空気が、上記上蓋５における裏面の中央部に設置された偏向板１８によって吹出口５b側に偏向され、吹出口５bから洗濯槽６内に向かってスムーズに吹き出される。したがって、洗濯槽６の上部から温風を下方に向かって吹き出すことができる。その結果、図１に白抜きの矢印で示すように、洗濯槽６内の略回転軸に沿って供給された乾燥空気が洗濯槽６内の洗濯物に直接吹き付けられ、洗濯槽６内の洗濯物を効率的に乾燥できるのである。
【００２３】
こうして、上記洗濯物を乾燥させた後の湿った空気は、循環気流生成部１３の空気取入口１３aから循環気流生成部１３内に取り込まれる。
【００２４】
ところで、本縦型洗濯乾燥機は、室内の暖房機能を有している。図３は、上蓋５を開放した状態を示す。但し、実線は、上蓋５を開放した状態を示す一方、二点鎖線は、上蓋５を閉じた状態を示している。
【００２５】
上記室内暖房時には、上記撹拌翼９を回転するモータ１１を停止した状態で、把手５cを引き上げて上蓋５を開く。そして、加熱部１５のヒータ１５aをオンすると共に、循環気流生成部１３の循環ファン１３bを回転駆動する。そうすると、室内,洗濯槽６,循環気流生成部１３,イオン発生部１４,加熱部１５,上蓋５の空気通路５aおよび室内を、この順序で流れる空気流が発生する。そして、その空気流に対して、加熱部１５によって加熱が行われる。
【００２６】
その場合に、上記上蓋５および偏向板１８は、加熱部１５によって加熱されて蛇腹１７を介して空気通路５aに供給された空気を、吹出口５bから前方に向かって吹き出し可能な角度に設置されている。そのため、加熱部１５によって暖められた空気は、吹出口５bから室内における略人体の高さの位置に向かって効果的に吹き出されるのである。尚、その場合に、イオン発生部１４を動作させれば、イオン発生部１４によって発生されたプラスイオンおよびマイナスイオンによって、室内を除菌消臭することができる。
【００２７】
ここで、上記上蓋５における空気通路５aの上記空気取入れ口と加熱部１５の空気吹出口とを、蛇腹１７等の可撓性を有する連通部材で連通している。したがって、図３に示すように、上記乾燥運転時に上蓋５を閉じた場合と上記室内暖房時に上蓋５を開いた場合とで、加熱部１５の上記空気吹出口に対する上蓋５の上記空気取入れ口の位置にずれが生じても、加熱部１５からの加熱乾燥された空気を上蓋５の空気通路５aに容易に供給することができるのである。
【００２８】
また、図３に示すように、上記上蓋５の吹出口５bから吹き出される空気の方向が、上蓋５が洗濯物投入口３aを閉鎖している場合には略垂直方向になり、上蓋５が洗濯物投入口３aを開放している場合は略水平方向になるように、偏向板１８が設置されている。したがって、上記乾燥運転時には、洗濯槽６内の洗濯物に加熱乾燥された空気を直接吹き付けることが可能になる。さらに、上記室内暖房時には、室内の略人体の高さの位置に加熱空気を吹き出すことが可能になる。
【００２９】
以上のごとく、本実施の形態においては、上記本体ケーシング１の上側であって且つ後面側に位置する上面板３内に、循環気流生成部１３とイオン発生部１４と加熱部１５とを備えている。そして、上蓋５の内部には空気通路５aを設け、加熱部１５から蛇腹１７を介して空気通路５a内に供給された乾燥空気は前方に向かって流れ、偏向板１８によって向きを吹出口５b側に偏向されて吹出口５bから洗濯槽６内に向かって吹き出すようにしている。
【００３０】
そして、乾燥運転時には、上記加熱部１５のヒータ１５aをオンすると共に、イオン発生部１４を駆動し、循環気流生成部１３の循環ファン１３bを回転駆動する。そして、縦型洗濯乾燥機内に、洗濯槽６,循環気流生成部１３,イオン発生部１４,加熱部１５,上蓋５の空気通路５aおよび洗濯槽６を、この順序で循環する空気の循環流を発生させるようにしている。
【００３１】
したがって、上記乾燥運転時には、上記加熱部１５で加熱された空気が、上蓋５における裏面の中央部に設けられた吹出口５bから洗濯槽６内に向かって吹き出される。そのために、上記乾燥運転時においては、加熱乾燥された空気を洗濯槽６の上部から下方に向かって吹き出して洗濯物に直接吹き付けることができ、効率的に洗濯物を乾燥できるのである。
【００３２】
さらに、室内暖房時には、上記加熱部１５のヒータ１５aをオンすると共に、循環気流生成部１３の循環ファン１３bを回転駆動する。そして、上蓋５を開くことによって、室内,洗濯槽６,循環気流生成部１３,イオン発生部１４,加熱部１５,上蓋５の空気通路５aおよび室内を、この順序で流れる空気流を発生させるようにしている。
【００３３】
したがって、上記室内暖房時には、単に上蓋５を開くだけで、加熱部１５で加熱された空気が、上蓋５の吹出口５bから室内に吹き出される。
【００３４】
すなわち、本実施の形態においては、従来の縦型洗濯乾燥機に対して、上記上蓋５内に空気通路５aおよび偏向板１８を形成し、空気通路５aと加熱部１５を蛇腹１７で連通するだけの簡単な構成で、室内暖房機能を付加することができる。したがって、上記室内暖房時には、単に上蓋５を開くだけでよく、乾燥運転と室内暖房との切替時にダンパ装置を室内暖房用の温風経路と乾燥運転用の温風経路とに切り替えるような面倒な切替操作を必要とはしないのである。
【００３５】
尚、上記実施の形態においては、上蓋５の空気通路５a内を流れる加熱空気を洗濯槽６内あるいは室内に向かって吹き出すための吹出口５bを、図２に示す直線状の形状に形成している。しかしながら、この発明はこれに限定されるものではなく、円形であっても差し支えない。また、吹出口５bの数も一つに限らず、複数設けてもよい。その場合、同寸法の小径の吹出口を多数設けても良いし、図２に示す吹出口５bの周囲に小径の円形吹出口を多数設けても良い。
【００３６】
あるいは、上記吹出口５bの縦断面形状を、吹き出される空気に方向性を持たせることが可能なように設定することも可能である。その場合には、偏向板１８を省略することが可能になる。
【００３７】
また、上記実施の形態においては、上記連通部材を蛇腹１７で構成しているが、この発明はこれに限定されるものではない。例えば、ゴム管等で構成しても良い。要は、可撓性を有する管状体であれば良いのである。
【００３８】
また、上記実施の形態においては、上記上蓋５を開くことによって、上記室内暖房を行う場合を例示している。しかしながら、本縦型洗濯乾燥機は、夏場等には、上記上蓋５を開いた場合に、循環ファン１３bおよびイオン発生部１４のみを動作させて、空気清浄機として動作させることも可能である。
【００３９】
以上のごとく、この発明の縦型洗濯乾燥機は、
上部に開口を有するケーシング１と、
上記ケーシング１における上記開口に取り付けられると共に、洗濯物投入口３aを有する上面板３と、
上記上面板３に回動可能に支持されると共に、上記洗濯物投入口３aを開閉する上蓋５と、
上記ケーシング１内に設置されると共に、上部に洗濯物が投入される開口を有する洗濯槽６と、
上記上面板３内に設けられて、上記洗濯槽６内の空気を取り込んで加熱乾燥した後に吹き出す乾燥ユニット１６と
を備え、
上記上蓋５内には、上記上面板３による支持箇所に空気取入れ口を有すると共に、上記上蓋５の裏面に吹出口５bを有する空気通路５aが設けられており、
上記乾燥ユニット１６で加熱乾燥された空気は、上記上蓋５内の上記空気通路５aを介して、上記空気通路５aの吹出口５bから吹き出されるようになっている
ことを特徴としている。
【００４０】
上記構成によれば、上蓋５に、この上蓋５の裏面に吹出口５bを有する空気通路５aを設け、乾燥ユニット１６からの加熱乾燥された空気を上記空気通路５aを介して吹出口５bから吹き出すので、乾燥運転時には、上記上蓋５で上記洗濯物投入口３aを閉鎖することによって、閉じた上記上蓋５の上記吹出口５bから、換言すれば洗濯槽６の上部から加熱空気を下方に向かって吹き出すことができ、効率的に洗濯物を乾燥することができる。
【００４１】
さらに、室内暖房時には、上記上蓋５で上記洗濯物投入口３aを開放することにより、開いた上記上蓋５の上記吹出口５bから加熱空気を前方に向かって室内に吹き出すことができる。したがって、簡単な構造で上記乾燥運転と上記室内暖房とを切り替えることが可能になる。
【００４２】
また、１実施の形態の縦型洗濯乾燥機では、
上記乾燥ユニット１６には、イオン発生部１４が含まれている。
【００４３】
この実施の形態によれば、上記乾燥ユニット１６にはイオン発生部１４が含まれているので、上記乾燥運転時には、洗濯物を乾燥すると共に、当該洗濯物の除菌と消臭とを行うことができる。さらに、室内暖房時には、室内を暖房すると共に、当該室内の除菌と消臭とを行うことができる。
【００４４】
また、１実施の形態の縦型洗濯乾燥機では、
上記上蓋５における上記空気通路５aの空気取入れ口と上記乾燥ユニット１６とは、可撓性を有する連通部材１７で連通されている。
【００４５】
この実施の形態によれば、上記上蓋５の空気取入れ口と上記乾燥ユニット１６とは、可撓性を有する連通部材１７で連通されているので、乾燥運転時に上蓋５を閉じる一方、上記室内暖房時に上記上蓋５を開いた場合に、上記乾燥ユニット１６に対する上記上蓋５の空気取入れ口の位置にずれが生じても、上記乾燥ユニット１６からの加熱乾燥された空気を上記上蓋５の上記空気通路５aに容易に供給することができる。
【００４６】
また、１実施の形態の縦型洗濯乾燥機では、
上記上蓋５の上記空気通路５a内における上記吹出口５bの下流側に、上記空気通路５a内における空気流の向きを上記吹出口５b側に偏向するための偏向板１８が設置されている。
【００４７】
この実施の形態によれば、上記空気通路５a内における上記吹出口５bの下流側に偏向板１８が設置されているので、上記空気通路５a内を上記空気取入れ口から流れ込んでくる空気の向きを上記偏向板１８によって上記吹出口５b側に偏向し、上記吹出口５bからスムーズに上記洗濯槽６内あるいは上記室内に吹き出すことができる。
【００４８】
また、１実施の形態の縦型洗濯乾燥機では、
上記偏向板１８は、上記上蓋５の上記吹出口５bから吹き出される空気の方向が、上記上蓋５が上記洗濯物投入口３aを閉鎖している場合には略垂直方向になり、上記上蓋５が上記洗濯物投入口３aを開放している場合は略水平方向になるように、設置されている。
【００４９】
この実施の形態によれば、上記上蓋５を開閉することによって、上記乾燥運転時には上記洗濯槽６内の洗濯物に加熱乾燥された空気を直接吹き付けることが可能になり、上記室内暖房時には上記室内の略人体の高さの位置に加熱空気を吹き出すことが可能になる。
【００５０】
また、１実施の形態の縦型洗濯乾燥機では、
上記乾燥ユニット１６は、上記洗濯槽６内の空気を取り込むためのファン１３bと、取り込んだ空気を加熱するヒータ１５aとを含んでいる。
【００５１】
この実施の形態によれば、上記乾燥ユニット１６はファン１３bとヒータ１５aとを含んでいるので、簡単な構成で、上記洗濯槽６内の空気を取り込んで加熱乾燥することができる。
【符号の説明】
【００５２】
１…本体ケーシング、
２…操作パネル、
３…上面板、
３a…洗濯物投入口、
４…ベース、
５…上蓋、
５a…空気通路、
５b…吹出口、
５c…把手、
６…洗濯槽、
７…水槽、
９…撹拌翼、
１０…駆動ユニット、
１３…循環気流生成部、
１３a…空気取入口、
１３b…循環ファン、
１４…イオン発生部、
１５…加熱部、
１５a…ヒータ、
１６…乾燥ユニット
１７…蛇腹、
１８…偏向板。
【図１】
2014083389.tif 000003
【図２】
2014083389.tif 000004
【図３】
2014083389.tif 000005